(57)【特許請求の範囲】
【請求項１】
前後方向を向くベース脚と、該ベース脚に取り付けられた支柱とによって構成される家具の脚体であって、
前記ベース脚には、前後方向の略全範囲にわたり、両先端の足先部から支柱が取り付けられている部分に向ってベース脚下面より下方への突出する突出寸法が漸次大となるリブが垂設され、前記ベース脚は、前記支柱にそれぞれ取り付けられ、端部同士が当接連結される一対の脚部材で構成され、両脚部材が連結した際に、前記脚部材の各リブが互いに当接しあうことを特徴とする家具の脚体。
【請求項２】
前記リブを、前記ベース脚の左右幅方向の略中央位置から下向きに垂設した請求項１に記載の家具の脚体。
【請求項３】
前記ベース脚を、左右幅方向における両側端緑から側壁が垂下する逆凹字状とし、該両側壁内面から、左右幅方向の中央に向かって挟持片を延設して前記リブに固着した請求項１または２に記載の家具の脚体。
【請求項４】
前記挟持片を前後方向に複数設けた請求項３に記載の家具の脚体。
【請求項５】
前記支柱は、前記ベース脚に設けた下向き開口部から挿入したボルトで螺着されるものとし、該ボルトの頭部を、前記開口部内に収納した請求項１乃至４のいずれかに記載の家具の脚体。
【発明の詳細な説明】
【技術分野】
【０００１】
本発明は、前後方向を向くベース脚と、該ベース脚に取り付けられた支柱とによって構成される家具の脚体に関する。
【背景技術】
【０００２】
従来、会議等に利用されるテーブルには、天板を支持する左右一対の脚が設けられている。脚は、天板を直接支持する天板支持部と、この天板支持部を支持する２つの筒状部材を有する縦脚部から成る脚本体部と、これを支持する着脱可能な足部とから構成されている（例えば、特許文献１参照）。
【０００３】
足部は前後に、長い足要素と短い足要素を前後一対で有し、両足要素の対向する互いの端部にはそれぞれ凸部と孔が併設されている。そして、一方の足要素の凸部と孔が、他方の足要素の孔と凸部に互いに嵌合して位置決めされ、さらに、足要素の両端部が連結部材を用いて締結され足部を構成した後、各足要素をそれぞれ筒状部材に螺着することで脚を構成している。
【０００４】
【特許文献１】特開２００２−１７７０５４号公報（段落００１０〜１６、図１，図４，図５）
【発明の開示】
【発明が解決しようとする課題】
【０００５】
しかしながら、特許文献１にあっては、天板に上方から大きな荷重が加えられた場合に、両足要素の接続部に大きな負荷が加わって両足要素間に撓みが生じ、脚上部の天板に掛かる荷重を安定して支持することが困難であり、これを避けるため足要素の上下寸法を大きめに設定すれば撓みを防げるが、脚全体が重厚になり、美観を損なう虞があった。
【０００６】
本発明は、このような問題点に着目してなされたもので、脚全体の上下寸法を大きくすることなく、上方からの大きな荷重に対して撓みを極力抑え、脚上部からの荷重を安定して支持することができる家具の脚体を提供することを目的とする。
【課題を解決するための手段】
【０００７】
上記課題を解決するために、本発明の請求項１に記載の家具の脚体は、前後方向を向くベース脚と、該ベース脚に取り付けられた支柱とによって構成される家具の脚体であって、前記ベース脚には、前後方向の略全範囲にわたり、両先端の足先部から支柱が取り付けられている部分に向ってベース脚下面より下方への突出する突出寸法が漸次大となるリブが垂設され、前記ベース脚は、前記支柱にそれぞれ取り付けられ、端部同士が当接連結される一対の脚部材で構成され、両脚部材が連結した際に、前記脚部材の各リブが互いに当接しあうことを特徴としている。
この特徴によれば、ベース脚の前後方向の略全範囲にわたり両先端足先部から支柱が取り付けられている部分に向って下方への突出寸法が漸次大となるリブが垂設されているので、上方からの大きな荷重が支柱を介してベース脚に加えられた場合であっても、支柱直下の最も荷重の掛かる部分を突出寸法の大きいリブで安定確実に支持させることが可能であり脚全体の上下寸法を大きくする必要がなく、しかもリブが前後方向に延在しているのでベース脚の撓みも極力抑えられ、ベース脚上部の家具の荷重を安定して支持できる。またベース脚を一対の脚部材で構成したので、支柱上部の家具の大きさや重量に応じて、脚部材の長さを任意に選択することができる。また、両脚部材が連結した際に両脚部材の各リブが互いに当接しあうので、支柱を介して大きな荷重が両脚部材に作用した際、リブ同士が衝合して両脚部材の撓みを低減させることができる。
【０００８】
本発明の請求項２に記載の家具の脚体は、請求項１に記載の家具の脚体であって、前記リブを、前記ベース脚の左右幅方向の略中央位置から下向きに垂設したことを特徴としている。
この特徴によれば、リブが、ベース脚の幅方向における略中央位置から下向きに垂設さているので、ベース脚を床面に設置した際に、リブの外側からの視認性を低くできる。
【０００９】
本発明の請求項３に記載の家具の脚体は、請求項１または２に記載の家具の脚体であって、前記ベース脚を、左右幅方向における両側端緑から側壁が垂下する逆凹字状とし、該両側壁内面から、左右幅方向の中央に向かって挟持片を延設して前記リブに固着したことを特徴としている。
この特徴によれば、ベース脚を逆凹字状とすることで軽量化を図ると共に、ベース脚の左右の両側壁から延設された挟持片をリブに固着したことで、リブがベース脚内で強度的に補強された状態で保持され、支柱からの大きな荷重が加わった場合にも、挟持片に力を分散させることができる。
【００１０】
本発明の請求項４に記載の家具の脚体は、請求項３に記載の家具の脚体であって、前記挟持片を前後方向に複数設けたことを特徴としている。
この特徴によれば、ベース脚の軽量化と支持強化をより一層向上させることができる。
【００１１】
本発明の請求項５に記載の家具の脚体は、請求項１乃至４のいずれかに記載の家具の脚体であって、前記支柱は、前記ベース脚に設けた下向き開口部から挿入したボルトで螺着されるものとし、該ボルトの頭部を、前記開口部内に収納したことを特徴としている。
この特徴によれば、ボルトでベース脚を支柱に締結した際に、ボルトの頭部が開口部内に収納されるので、脚部材を床面に接地した際にボルトの頭部が床面側に向けて突出されることが防止されるので、床面に傷を生じさせることがない。
【発明を実施するための最良の形態】
【００１３】
本発明の実施例を以下に説明する。
【実施例】
【００１４】
図１は、本発明の実施例における脚体を用いたテーブルの全体像を示す斜視図であり、図２は、テーブルの分解組立斜視図であり、図３（ａ）は、天板を支持するベース脚の一方の脚部材を示す底面側からの斜視図であり、図３（ｂ）は、脚部材の上面側からの斜視図であり、図４（ａ）は、前後の脚部材同士の係合前の状態を示す底面図であり、図４（ｂ）は、Ａ−Ａ線を示す側断面図であり、図４（ｃ）は、Ｂ−Ｂ線を示す側断面図であり、図５は、前後の脚部材同士をボルトで締結する連結過程を示す底面図であり、図６は、（ａ）は、前後の脚部材の連結と前後の脚部材と支柱をボルトで締結する状態を示す図５のＣ−Ｃ線の側断面図であり、図６（ｂ）は、連結された前後の脚部材に支柱が連結された状態を示す図５のＤ−Ｄ線の側断面図である。
【００１５】
以下、本実施例の説明において、図１に示されたテーブル１に対面した状態で見て、テーブル１の手前側を前方とし、テーブル１の奥行き側を後方とし、左手側を左方、右手側を右方として説明する。図１および図２に示されるように、テーブル１は、主に上面視横長矩形状に形成された天板２と、この天板２の長手方向を支持すべく前後に対向して左右方向に向けて延設された一対の連結フレーム１９，２０および天板２の左右両端側部を支持すべく左右に対向して前後方向に向く一対の支持杆９，１０から構成される左右の支持フレーム８，８から成るフレーム構造と、この支持フレーム８，８が連結される左右の支柱３，３と該支柱３，３の下部に連結され床面６０に設置された前後方向を向く一対の第１脚部材２１および第２脚部材２１’から成るベース脚５，５からなる脚体４，４と、左右の支持杆９，１０の中間の対向面側に天板を支持する一対の取付具４０，４１と、両取付具４０，４１に掛け渡されフレーム構造の補強および天板２を支持する左右長手方向に延びる連結杆３５と、から構成されている。
【００１６】
このテーブル１は、例えば企業の会議室や図書館、学校等の教室にて利用可能になっている。第１脚部材２１および第２脚部材２１’には、それぞれアジャスタ３３が設けられ、テーブル１の高さ調整を行えるようになっており、脚体４，４を床面６０に対して安定して支持できるようになっている。
【００１７】
連結フレーム１９，２０と支持杆９，１０とは、前方側に配置の左右の支持杆９，９の前端に連結フレーム１９が連結されるとともに、後方側に配置の左右の支持杆１０，１０の後端に連結フレーム２０が連結されることで、上面視横長矩形状のフレームが構成され、このフレーム構造および取付具４０，４１と連結杆３５を介して天板２が脚体４，４に支持される構成になっている。
【００１８】
尚、本実施例において、連結フレーム１９，２０および支持フレーム８、そして脚体４はアルミ合金で成型されていることから、軽量で持ち運べ易く且つ強度的にも優れているが、本発明はこれに限定されるものではなく、例えば、これらの部材を他の材質として強度のある硬質のプラスチック材や木材であってもよい。
【００１９】
後述において説明するが、第１脚部材２１および第２脚部材２１’は支柱３の下端から上方に向けてボルトで連結固定されており、同様に特に図示しないが、支持杆９，１０は支柱３の上端から下方に向けてボルトで連結固定されたことで、フレーム構造の一部である前後の支持杆９，１０と、脚体である支柱３および前後の第１脚部材２１および第２脚部材２１’とが、側面視エ字状に一体で構成されている。また、連結フレーム１９，２０の左右端部には、ＡＢＳ樹脂材からなるカバー部材３４が各々取り付け可能になっている。
【００２０】
次に、第１脚部材２１および第２脚部材２１’について具体的に説明するが、両脚部材２１，２１’は同一の構造の脚部材からなり、一方の第１脚部材２１を前方に配置して、他方の第２脚部材２１’を前方の第１脚部材に対して後方に１８０度で回動した前後対称方向に配置し、両脚部材２１，２１’を連結することによって、前後方向を向くベース脚５を構成している。なお、第１脚部材２１に各符号が付された部位に対応する第２脚部材２１’の各部位には、第１脚部材２１の符号に「’」を付すことで、第２脚部材２１’の説明を割愛する。
【００２１】
図３（ａ）に示されるように、第１脚部材２１は前後方向に向けて先端側の足先部２１ａから、支柱３が上部で取り付けられる接続部２３に向けて長手方向に成型されており、左右の両側端縁から垂下する逆凹字状の側壁２１ｃ，２１ｃが形成されている。第１脚部材２１下面２１ｄの足先部２１ａにはアジャスタ３３がボルト５５で螺合され固着されている。接続部２３の接続端面２３ａの左右位置の、一方には長手方向に突出する嵌合片２４が設けられ、他方には長手方向に凹没される嵌合溝２５が対で構成されており、図示しない第２脚部材２１’の接続部２３’に設けられた嵌合溝２５’と嵌合片２４’とで互いに嵌合可能な対称形状となっている。
【００２２】
図４（ｂ）、（Ｃ）に示されるように、嵌合片２４および嵌合溝２５には、嵌合面がそれぞれ下方に向かって広がるテーパ面２４ａおよびテーパ面２５ａが形成されており、嵌合片２４の背面側には下向きに開口した開口部２６が形成され、この嵌合片２４にはテーパ面２４ａからこのテーパ面２４ａと直行する開口部２６側方向に向けて連通するボルト用貫通孔２４ｂが設けられている。一方、嵌合溝２５のテーパ面２５ａには、このテーパ面２５ａと直行する背面側方向に向けてボルト孔２５ｂが形成されている。
【００２３】
尚、ボルト用貫通孔２４ｂには両脚部材２１，２１’を連結するボルト５１を貫通させ、ボルト孔２５ｂはボルト５１と螺合可能になっている。また、開口部２６の大きさは、ボルト５１を回動操作可能なスペースを有している。
【００２４】
両側壁２１ｃ，２１ｃの左右幅方向の中央位置からは、前後方向の略全範囲に渡って足先部２１ａから、支柱３が取り付けられる接続部２３まで、リブ３０が第１脚部材２１の下面２１ｄよりも下方に向けて突出するように垂設されている。このリブ３０の突出寸法は、足先部２１ａから接続部２３に向けて漸次大となるように垂設されており、接続部２３の接続端面２３ａの嵌合片２４と嵌合溝２５の間まで延伸して、接続端面２３ａと面一で一体に設けられたリブ端面３１が形成されている。この両側壁２１ｃ，２１ｃの内側からは、左右幅方向の中央に向けて挟持片２９，２９が前後方向に所定間隔を空けて複数延設されており、リブ３０の左右側面に固着され、第１脚部材２１の全体の強度が高められ、支柱３を介した天板２上方からの荷重の支持強化かつ軽量化が図られている。
【００２５】
図３（ｂ）に示されるように、第１脚部材２１の上面２１ｅは接続部２３の上部から足先部２１ａの方向に向けて下方に傾斜されており、この上面２１ｅの接続部２３側には床面６０に平行な支持面２８が形成されている。支持面２８には、図４（ｂ）にも示されるように、下面２１ｄ側の開口部２６に上下方向で貫通されたボルト用貫通孔２８ａが形成され、同様に、図４（ｃ）に示されるように、下方に開口した開口部２７に上下方向で貫通されたボルト用貫通孔２８ｂが形成され、後述のボルト５３が挿通可能になっている。
【００２６】
次いで、ベース脚５を構成する第１脚部材２１と第２脚部材２１’との連結過程について説明する。図４（ａ）に示されるように、第１脚部材２１および第２脚部材２１’の端部２３ａ，２３ａ’同士を、リブ３０とリブ３０’が前後直列となる位置で互いに対向させるとともに、嵌合片２４を嵌合溝２５’に、嵌合片２４’を嵌合溝２５に、前後方向で同列に重なるように配設する。
【００２７】
図４（ｂ）および図４（ｃ）に示されるように、接続端面２３ａ，２３ａ’およびリブ端面３１，３１’は、互いが当接可能に垂直方向に面一で形成され、嵌合片２４，２４’が設けられた背面側の開口部２６，２６’面には、嵌合片２４，２４’のテーパ面２４ａ，２４ａ’および嵌合溝２５、２５’のテーパ面２５ａ、２５ａ’にそれぞれ平行なテーパ面２６ａ，２６ａ’が各々形成されている。
【００２８】
そこで、第１脚部材２１の嵌合片２４を第２脚部材２１’の嵌合溝２５’に向けて、第２脚部材２１’の嵌合片２４’を第１脚部材２１の嵌合溝２５に向けて嵌合していくと、一方の嵌合片２４のテーパ面２４ａが嵌合溝２５’のテーパ面２５ａ’に当接され、他方の嵌合片２４’のテーパ面２４ａ’が嵌合溝２５のテーパ面２５ａに沿って当接され、嵌合片２４，２４’のボルト用貫通孔２４ｂ，２４ｂ’と嵌合溝２５’，２５とが連通状態となるようにする。そして、接続端面２３ａと接続端面２３ａ’およびリブ端面３１とリブ端面３１’とが互いに当接される。
【００２９】
図５に示されるように、リブ端面３１とリブ端面３１’が前後に整合して当接されるとともに、接続端面２３ａと接続端面２３ａ’が相互に当接されると同時に、嵌合溝２５’に嵌合片２４が嵌合され、嵌合溝２５に嵌合片２４’が嵌合されることで、嵌合片２４と嵌合片２４’とが側面視で嵌合溝２５’と嵌合溝２５に相互にクロスした状態で嵌合されるので、第１脚部材２１および第２脚部材２１’が上下左右方向に移動不能に規制され仮固定される。
【００３０】
次いで、図５および図６（ａ）に示されるように、嵌合片２４の背面側の近傍に形成された開口部２６からボルト用貫通孔２４ｂに向けて、締結手段に相当するボルト５１が挿通され、さらに、ボルト孔２５ｂ’に向けて螺合されていく。尚、ボルト５１の取り付け作業を容易かつ確実に行うため本実施例では六角レンチ５９を用いて作業が行われる。このように、開口部２６を形成したことで、嵌合片２４から嵌合溝２５’に向けてボルト５１を締結する際に、この開口部２６を利用してボルト５１の回動操作が行い易い構成になっている。
【００３１】
そして、ボルト５１が六角レンチ５９の回動操作により、ボルト用貫通孔２４ｂを介してボルト孔２５ｂ’に向けて螺合し締め込まれていくことで、嵌合片２４が嵌合溝２５’内に引き込まれ締結されるとともに、図５および図６（ｂ）に示されるように、ボルト５１が開口部２６’からボルト用貫通孔２４ｂ’を介してボルト孔２５ｂに向けて螺合し締め込まれていくことで、嵌合片２４’が嵌合溝２５内に引き込まれて締結される。嵌合溝２５’に嵌合片２４が嵌合され、嵌合溝２５に嵌合片２４’が嵌合されることで、一方の当接面（テーパ面２４ａとテーパ面２５ａ’）が他方の当接面（テーパ面２４ａ’とテーパ面２５ａ）とが側面視で相互にクロスした方向に引き込まれるので、嵌合片２４，２４’と嵌合溝２５’，２５との圧着が非常に強固なものとなる。
【００３２】
同様にして、この一対のボルト５１，５１の締め込みにより、対向する前後のリブ端面３１とリブ端面３１’および、同じく対向する接続端面２３ａと接続端面２３ａ’の圧着も強固となる。このようにして、第１脚部材２１と第２脚部材２１’が左右の２箇所で連結されて、前後方向を向く堅固なベース脚５が構成される。尚、ベース脚５の前後端部を構成する足先部２１ａ，２１ａ’の設けられたアジャスタ３３，３３によって、左右の側壁２１ｃ，２１ｃ’および、その中央位置のリブ３０，３０’の下面が床面６０から若干離間されている。
【００３３】
図６（ａ）（ｂ）に示されるように、側面視でクロスしたボルト５１，５１のボルト頭部５１ａ，５１ａの受ける面であるテーパ面２６ａ，２６ａ’は、嵌合片２４，２４’および嵌合溝２５’２５のそれぞれに対面するテーパ面２４ａ，２５ａ’とテーパ面２４ａ’，２５ａ’に平行な面で形成されているため、ボルト５１，５１の螺合時に、各ボルト頭部５１ａ，５１ａを受けるテーパ面２６ａ，２６ａ’に無理な負荷を加えることなく、各ボルト５１，５１の回動操作をより円滑に行えると共に、嵌合片と嵌合溝とに強い圧着作用を与えることができる。
【００３４】
しかも、各ボルト５１，５１の締結後にボルト頭部５１ａ，５１ａは、それぞれの開口部２６，２６’内に収納されるので、両脚部材２１，２１’を床面６０に接地した際にボルト頭部５１ａ，５１ａが床面６０側に向けて突出されることはなく、床面６０に対して傷を生じさせることが未然に防止されている。
【００３５】
そして、第１脚部材２１と第２脚部材２１’の開口部２６，２７’，２７，２６’に形成されたボルト用貫通孔２８ａ，２８ｂ’，２８ｂ，２８ａ’に下方から上方に向けて４本のボルト５３を上方に向けて挿通させ、両脚部材２１，２１’の上部の支持面２８，２８’に支柱３の下端３ｃを当接載置して、この支柱３の下端部に上下方向に向けて形成されたボルト穴３ａ，３ｂ，３ａ，３ｂをボルト用貫通孔２８ａ，２８ｂ’，２８ｂ，２８ａ’と重なるように位置合わせをした後、六角レンチ５９の回動操作により、各ボルト５３をボルト穴３ａ，３ｂ，３ａ，３ｂに螺合することで、支柱３が両脚部材２１，２１’の各左右２箇所で直に締結され、支柱と両脚部材との連結強度を高めることができる。
【００３６】
しかも、各ボルト５３で両脚部材２１，２１’を支柱３に締結する際に、脚部材２１，２１’の下向きに開口された開口部２６，２７’，２７，２６’から支柱３に向けて、各ボルト５３をねじ込んで、これらボルト５３の締結後にボルト頭部５３ａを各開口部２６，２７’，２７，２６’内に収納することで、両脚部材２１，２１’を床面６０に接地した際にボルト頭部５３ａが床面６０側に向けて突出されることはなく、床面６０に傷を生じさせることが未然に防止される。このように、各々が下方から打ち込まれるボルト５３によって、支柱３に対して直に締結されるので、例えばＬ字の取付金具等を別途用いることなく、支柱３と両脚部材２１，２１’の連結強度を高めることができ、天板２上方からの大きな荷重が加わった場合であっても、支柱３を介して天板２を安定して支持可能な撓みにくいベース脚５の構造となる。
【００３７】
以上の説明により実施例では、ベース脚５を前後一対の両脚部材２１，２１’で構成し、両脚部材２１，２１’が連結した際に、リブ端面３１，３１’を同士が互いに当接した状態で連結し、ベース脚５を一つの支柱３に固着したことで、支柱３を介して大きな荷重が両脚部材２１，２１’に作用した際に、リブ３０，３０’同士が互いに衝合しあうので、両脚部材２１，２１’の撓みが低減される。また、一対の両脚部材２１，２１’でベース脚５が構成されたことで、例えば、天板２の大きさや形状、テーブル１に載置される物品の荷重に合わせて、両脚部材２１，２１’の前後方向の長さを任意に変更、交換できるとともに、その施工が容易に行える。また、両脚部材２１，２１’の両接続部２３，２３’の構造が対称形であるので、位置決めがし易く、部品の共用化によるコストの低減も図れる。
【００３８】
このように、ベース脚５の前後方向の略全範囲にわたり両前後先端の足先部２１ａ，２１ａ’から支柱３が固着される接続部２３，２３’に向って下方への突出寸法が漸次大となるリブ３０，３０’が垂設されているので、上方からの大きな荷重が支柱３を介して、ベース脚５に加えられた場合であっても、支柱３直下の最も荷重の掛かる部分を突出寸法の大きいリブ３０，３０’で安定確実に支持することが可能となるので、両脚部材２１，２１’全体の上下寸法を大きくする必要がなく、しかもリブ３０，３０’が前後方向に延在しているので、ベース脚５の撓みも極力抑えられ、天板２の上部から加わる荷重に対しても強い支持強度を備えた脚体４となる。
【００３９】
さらに、両脚部材２１，２１’を左右に側壁２１ｃ，２１ｃ’を備えた逆凹字状とすることで軽量化を図ると共に、この左右の両側壁２１ｃ，２１ｃ’から、挟持片２９，２９をリブ３０，３０’に固着したことで、リブ３０，３０’が各脚部材２１，２１’で強度的に補強された状態で保持されるので、支柱３からの大きな荷重が加わった場合にも、挟持片２９，２９に力を分散させることができる。また、リブ３０，３０’が、ベース脚５の幅方向における略中央位置から下向きに垂設さているので、ベース脚５を床面６０に設置した際に、リブ３０，３０’の外側からの視認性を低くでき、外部からの見栄えも損なうことがない。
【００４０】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、脚体４が天板２を支持するテーブルとして説明したが、テーブルに限らず机や、その他脚体４に支持されるキャビネット等の家具にも適用できる。
【００４１】
また、上記実施例では、側壁２１ｃ，２１ｃ’からリブ３０，３０’に向けて、挟持片２９，２９’が延設されたことで、リブ３０，３０’が両脚部材２１，２１’内で強度的に補強される事から好ましいが、本発明はこれに限定されるものではなく、リブ３０，３０’を左右幅方向に幅広に成型することで、挟持片２９，２９’を用いずに強度を高めても良い。
【００４２】
また、上記実施例では、リブ３０，３０’をベース脚５の左右幅方向の中央位置から前後の両足先部２１ａ，２１ａ’まで延設することで、撓みを極力抑えているが、本発明はこれに限定されるものではなく、例えば、リブ３０，３０’の長さを互いが当接される位置から両足先部２１ａ，２１ａ’まで延設することなく短かな寸法であっても良い。
【００４３】
また、上記実施例では、ベース脚５を一対の脚部材２１，２１’接続して構成しているが、一本の脚部材で構成しても良い。この場合、リブは、支柱が取り付けられる近傍が一番突出しており両端足先部に向かって突出寸法が小さくなっていることは実施例の構成と同じである。
【図面の簡単な説明】
【００４４】
【図１】本発明の実施例における脚体を用いたテーブルの全体像を示す斜視図である。
【図２】テーブルの分解組立斜視図である。
【図３】（ａ）は、天板を支持するベース脚の一方の脚部材を示す底面側からの斜視図であり、（ｂ）は、脚部材の上面側からの斜視図である。
【図４】（ａ）は、前後の脚部材同士の係合前の状態を示す底面図であり、（ｂ）は、Ａ−Ａ線を示す側断面図であり、（ｃ）は、Ｂ−Ｂ線を示す側断面図である。
【図５】前後の脚部材同士をボルトで締結する連結過程を示す底面図である。
【図６】（ａ）は、前後の脚部材の連結状態を示すＣ−Ｃ線の側断面図であるとともに、前後の脚部材と支柱をボルトで締結する連結過程を示し、（ｂ）は、連結された前後の脚部材に支柱が連結された状態を示すＤ−Ｄ線の側断面図である。
【符号の説明】
【００４５】
１                  テーブル
２                  天板
３                  支柱（脚体の一部）
３ａ、３ｂ          ボルト穴
３ｃ                下端
４                  脚体
５                  ベース脚（脚体の一部）
８                  支持フレーム
９、１０            前後の支持杆
１９、２０          連結フレーム
２１                第１脚部材（前方のベース脚）
２１’              第２脚部材（後方のベース脚）
２１ａ、２１ａ’    足先部
２１ｃ、２１ｃ’    側壁
２１ｄ、２１ｄ’    下面
２１ｅ、２１ｅ’    上面
２３、２３’        接続部
２３ａ、２３ａ’    接続端面
２４、２４’        嵌合片
２４ａ、２４ａ’    テーパ面
２４ｂ、２４ｂ’    ボルト用貫通孔
２５、２５’        嵌合溝
２５ａ、２５ａ’    テーパ面
２５ｂ、２５ｂ’    ボルト孔
２６、２６’        開口部
２６ａ、２６ａ’    テーパ面
２７、２７’        開口部
２８、２８’        支持面
２８ａ、２８ａ’    ボルト用貫通孔
２８ｂ、２８ｂ’    ボルト用貫通孔
２９、２９’        挟持片
３０、３０’        リブ
３１，３１’        リブ端面
３３                アジャスタ
３４                カバー部材
３５                連結杆
４０、４１          取付具
５１                ボルト（締結手段）
５１ａ              ボルト頭部
５３                ボルト
５３ａ              ボルト頭部
５５                ボルト
５９                六角レンチ
６０                床面
【図１】
0004800005.tif 000002
【図２】
0004800005.tif 000003
【図３】
0004800005.tif 000004
【図４】
0004800005.tif 000005
【図５】
0004800005.tif 000006
【図６】
0004800005.tif 000007